(57)【要約】蓋体に取付けられた金属片の両縁部に手や指が引っ掛かることがなくなることにより、切り傷等のけがを防止することができる、安全面を考慮した筆入れを提供することにある。【解決手段】全体直方体形状のケースと、上記ケースを開閉しうる平面長方形状の蓋体とを備え、上記ケースに取付けられている磁石に上記蓋体の幅方向端縁部に取付けられている金属片が磁力により吸着されることにより上記蓋体により上記ケースが閉鎖される筆入れにおいて、上記金属片の上記蓋体の長さ方向両端部の外方には、上記蓋体の幅方向端縁部から上記金属片よりも外方に突出する一対の突部が設けられている【選択図】図１
0003114252.tif 000002
【実用新案登録請求の範囲】
【請求項１】
全体直方体形状のケースと、上記ケースを開閉しうる平面長方形状の蓋体とを備え、上記ケースに取付けられている磁石に上記蓋体の幅方向端縁部に取付けられている金属片が磁力により吸着されることにより上記蓋体により上記ケースが閉鎖される筆入れにおいて、
上記金属片の上記蓋体の長さ方向両端部の外方には、上記蓋体の幅方向端縁部から上記金属片よりも外方に突出する一対の突部が設けられていることを特徴とする筆入れ。
【請求項２】
上記金属片は、平面長方形状の板材を幅方向に沿って側面Ｕ字形状に折り曲げられて、一対の係止片部と、これら一対の係止片部の間に形成される側縁部とを有し、上記係止片部により上記蓋体の端縁部に固定されていることを特徴とする請求項１記載の筆入れ。
【請求項３】
上記突部は、上記金属片の側縁部の両端部に当接していることを特徴とする請求項１〜２記載の筆入れ。
【請求項４】
上記突部及び上記蓋体の表皮材は、クッション性を有した素材で形成されている請求項１〜３記載の筆入れ。
【請求項５】
上記金属片の厚さ寸法は、上記蓋体の厚さ寸法よりも小さく形成されていることを特徴とする請求項４記載の筆入れ。
【考案の詳細な説明】
【技術分野】
【０００１】
本考案は筆入れに係り、特に、ケースに取付けられている磁石に蓋体に取付けられている金属片が吸着されることにより蓋体が閉鎖される筆入れに関するものである。
【背景技術】
【０００２】
一般に、鉛筆等の筆記用具を収納するための筆入れの形状は、様々な種類が存在しており、その形状の選択は、使用者の年代及び用途によって異なる。
このような筆入れの中でも、全体直方体形状のケースに開閉可能な状態で取付けられている蓋体がクッション性を有した素材により形成されている筆入れが存在し、小学生の間で主に利用されている。
上記のような筆入れは、主に、ケースに取付けられている磁石に蓋体に取付けられている金属片が磁力により吸着されることにより、未使用時に蓋が閉鎖している状態を維持することができるように構成されている。
【０００３】
ところで、上記のように構成されている筆入れにあっては、従来から、手や指が蓋体に取付けられている金属片の両端部に引っ掛かり、場合によっては、手や指に切り傷等のけがを負う可能性があった。
【０００４】
金属片は、一般的に、平面長方形状の板材を幅方向に沿って側面Ｕ字形状に折り曲げることにより形成されており、板材を容易に折り曲げることができるように、比較的薄い板材が用いられている。そのため、金属片の両端部が鋭い形状となることが多く、金属片の両端部と接触すると手や指に切り傷等のけがを負う可能性が高くなる。
また、金属片は、蓋体の端縁部において、蓋体の厚さ方向において蓋体を挟持して設けられている。そのため、金属片の厚さ寸法分蓋体の端縁部より外方へわずかに突出することとなり、その結果、金属片の両端部に手や指が引っ掛かる可能性がある。
【０００５】
上記のような事態を解消する従来例として、金属片の両端部と対応する個所を金属片の厚さ分まで膨出させた膨出部が蓋体に形成されている筆入れが存在する（例えば、特許文献１参照。）。
上記の形状により、金属片の厚さ方向に外方に向かって突出している両端部が膨出部により埋められ、厚さ方向において金属片の両端部が露出することがなくなる。
そのため、厚さ方向において金属片の両端部と接触しようとした場合であっても、金属片の両端部と対応する個所に形成されている膨出部と接触することとなるため、厚さ方向において金属片の両端部に手や指が引っ掛ってしまうという事態を解消することができる。
【０００６】
しかしながら、上記従来例の場合、金属片の幅方向に外方に向かって突出している両端部が露出されたままである。
そのため、金属片の幅方向に外方に向かって突出している両端部においては、手や指が引っ掛ってしまうという事態を解消することができず、結果的に、手や指に切り傷等のけがを負うという事態が生じる可能性があった。
【０００７】
【特許文献１】実登第３０１０６００号公報
【考案の開示】
【考案が解決しようとする課題】
【０００８】
そこで、本考案の課題は、蓋体に取付けられた金属片の両端部に手や指が引っ掛かることがなくなることにより、切り傷等のけがを防止することができる、安全面を考慮した筆入れを提供することにある。
【課題を解決するための手段】
【０００９】
上記目的を達成するために、請求項１記載の考案は、全体直方体形状のケースと、上記ケースを開閉しうる平面長方形状の蓋体とを備え、上記ケースに取付けられている磁石に上記蓋体の幅方向端縁部に取付けられている金属片が磁力により吸着されることにより上記蓋体により上記ケースが閉鎖される筆入れであって、上記金属片の上記蓋体の長さ方向両端部の外方には、上記蓋体の幅方向端縁部から上記金属片よりも外方に突出する一対の突部が設けられていることを特徴とする筆入れにより構成されている。
【００１０】
即ち、請求項１記載の本考案に係る筆入れにあっては、金属片の両端部が露出することがないように、突部が蓋体から外方に突出している寸法は、金属片が蓋体から外方に突出している寸法よりも大きい寸法となるように設けられている。
また、上記突部は金属片の長さ方向両端部に一対に設けられている。
【００１１】
また、請求項２記載の考案は、上記金属片は、平面長方形状の板材を幅方向に沿って側面Ｕ字形状に折り曲げられて、一対の係止片部と、これら一対の係止片部の間に形成される側縁部とを有し、上記係止片部により上記蓋体の端縁部に固定されている。
【００１２】
即ち、請求項２記載の本考案に係る筆入れにあっては、上記金属片が平面長方形状の板材を幅方向に沿って側面Ｕ字形状に折り曲げられて、一対の係止片部と、これら一対の係止片部の間に形成される側縁部とを有し、上記係止片部により上記蓋体の端縁部に固定されている場合であっても、金属片の両端部が露出することがないように、突部が蓋体から外方に突出している寸法は、金属片が蓋体から外方に突出している寸法よりも大きい寸法となるように設けられている。
【００１３】
また、請求項３記載の考案は、上記突部は上記金属片の側縁部の両端部に当接している。
【００１４】
即ち、請求項３記載の本考案に係る筆入れにあっては、上記突部が上記金属片の側縁部の両端部に設けられ、側縁部の両端部を側方から被覆するように、上記突部が上記金属片の側縁部の両端部に当接している。
【００１５】
また、請求項４記載の考案は、上記突部及び上記蓋体の表皮材は、クッション性を有した素材で形成されている。
【００１６】
即ち、請求項４記載の本考案に係る筆入れにあっては、良好な使用品質を得るために上記蓋体の表皮材及び突部が、一体的にクッション性を有した素材で形成されている。
【００１７】
また、請求項５記載の考案は、上記金属片の厚さ寸法は、上記蓋体の厚さ寸法よりも小さく形成されている。
【００１８】
即ち、請求項５記載の本考案に係る筆入れにあっては、上記金属片が上記係止片部により、上記蓋体の端縁部に固定されている場合に、厚さ方向において金属片の両端部と指が接触することがないように形成されている。
【考案の効果】
【００１９】
請求項１及び２記載の本考案に係る筆入れは、金属片の両端部が蓋体の幅方向端縁部から外方へ露出することがなく、手や指が金属片の両端部に触れることがないため、手や指が金属片の両端部に引っ掛かり、切り傷等のけがを負うという事態を防止することができる。
また、上記突部は、長さ方向の金属片の両端部に設けられており、蓋体の長さ方向から金属片の両端部に触れることがないため、蓋体の長さ方向において切り傷等のけがを負うという事態を防止することができる。
【００２０】
また、請求項３記載の本考案に係る筆入れにあっては、突部が金属片の側縁部の両端部に当接しているため、より確実に切り傷等のけがを負うという事態を防止することができる。
【００２１】
また、請求項４記載の本考案に係る筆入れにあっては、突部及び蓋体の表皮材がクッション性を有した素材で形成されていることから、手や指が突部に接触した場合であっても損傷することがないため、突部に接触して切り傷等のけがを負うという事態を防止することができる。
【００２２】
また、請求項５記載の本考案に係る筆入れにあっては、蓋体の表皮材がクッション性を有した素材であることから、金属片は厚さ方向において蓋体の表皮材に埋没する形で固定され、金属片の厚さ方向に外方に向かって突出している両端部と接触することがないため、厚さ方向において金属片の両端部に引っ掛かることがなくなる。
そのため、蓋体の幅方向及び厚さ方向いずれの方向においても、金属片の側縁部の両端部に指が触れることがなくなる。
したがって、金属片の側縁部の両端部に接触する方向に関わらず、切り傷等のけがを負うという事態を防止することができる。
【考案を実施するための最良の形態】
【００２３】
以下、図面を用いて本考案を実施するための最良の形態について説明する。
本実施の形態に係る筆入れ１０は、図１及び図２に示すように、全体直方体形状のケース１１と、上記ケースを開閉しうる平面長方形状の蓋体１２とを備え、上記ケース１１に取付けられている磁石１３に上記蓋体１２の幅方向端縁部１７に取付けられている金属片１４が磁力により吸着されることにより上記蓋体１２により上記ケース１１が閉鎖される筆入れ１０であって、上記金属片１４の上記蓋体１２の長さ方向両端部１５，１６の外方には、上記蓋体１２の幅方向端縁部１７から上記金属片１４よりも外方に突出する一対の突部１８，１９が設けられている。
【００２４】
また、上記金属片１４は、図１及び図２に示すように、平面長方形状の板材を幅方向に沿って側面Ｕ字形状に折り曲げられて、一対の係止片部３４，３５と、これら一対の係止片部３４，３５の間に形成される側縁部３６とを有し、上記係止片部３４，３５により上記蓋体１２の端縁部１７に固定されている。
【００２５】
また、図２に示すように、上記突部１８，１９は上記金属片１４の側縁部３６の両端部３２，３３に当接している。
【００２６】
また、図１に示す上記突部１８，１９及び上記蓋体１２の表皮材は、クッション性を有した素材で形成されている。
【００２７】
また、図１に示すように、上記金属片１４の厚さ寸法Ｌ１は、上記蓋体１２の厚さ寸法Ｌ２よりも小さく形成されている。
【実施例１】
【００２８】
以下、図１及び図２を用いて本考案の実施例１に係る筆入れについて説明する。
筆入れ１０は、図１に示すように、ケース１１と、幅方向における他方の端縁部２３が上記ケース１１の幅方向における一方の端部２４に開閉しうる状態で取付けられている蓋体１２により構成されている。
また、上記筆入れ１０は、上記ケース１１に取付けられている磁石１３に上記蓋体１２に取付けられている金属片１４が磁力により吸着されることにより上記蓋体１２により上記ケース１１が閉鎖されるように構成されている。
【００２９】
上記ケース１１は、図１に示すように、全体薄形直方体形状に形成されている。また、図１に示すように、上記ケース１１の内部には、上部が開口している収納部２５が形成されており、上記ケース１１の幅方向における他方の端部２６には、磁石収納部２７が形成されている。
上記収納部２５は、鉛筆や消しゴム等の筆記用具を収納することができる大きさで形成されている。
【００３０】
上記蓋体１２は、図１に示すように、平面長方形状に形成されている。また、上記蓋体１２の図示外の芯材に固定されている表皮材は、クッション性を有した素材で形成されている。
また、図１に示すように、上記蓋体１２により閉じられる場合に、上記収納部２５が密閉された状態となるように、上記蓋体１２の長さ寸法Ｌ３及び幅寸法Ｌ４は、上記ケース１１と同一の長さ寸法及び幅寸法に形成されている。
【００３１】
上記ケース１１の内部に形成されている磁石収納部２７は、図１に示すように、上記ケース１１の長さ方向のほぼ中央に配置されており、内部に磁石１３が備えられている。
【００３２】
また、上記磁石収納部２７は、上記ケース１１の他方の端部２６の内壁部２８から幅方向内方に向かって突出しており、厚さ方向全域に形成されている。
上記磁石収納部２７が上記ケース１１の幅方向内方に向かって突出している寸法Ｌ５は、上記収納部２５に筆記用具等を収納できるように小さい寸法で形成されている。
【００３３】
上記磁石収納部２７の内部に備えられている上記磁石１３は、図１に示すように、上記磁石収納部２７の幅方向に沿って一対に固定された磁石１３ａ，１３ｂにより構成され、いずれも表面側に露出している。
【００３４】
上記磁石１３ａ，１３ｂの長さ寸法Ｌ６は、図１に示すように、上記磁石収納部２７の内部に収まるように、上記磁石収納部２７の長さ方向寸法Ｌ７よりもやや小さい寸法により形成されている。
【００３５】
上記蓋体１２の幅方向における一方の端縁部１７に取付けられている上記金属片１４は、図１に示すように、上記蓋体１２により上記ケース１１が閉鎖される場合において、上記磁石１３ａ，１３ｂと当接することができるように、上記磁石収納部２７と同様に、長さ方向のほぼ中央に配置されている。
【００３６】
また、上記金属片１４は、図１及び図２に示すように、平面長方形状の板材を幅方向に沿って側面Ｕ字形状に折り曲げられ、一対の係止片部３４，３５と、これら一対の係止片部３４，３５の間に形成される側縁部３６により形成されている。
一対の上記係止片部３４，３５は、上記蓋体１２の一方の端縁部１７を厚さ方向に挟むように固定されている。
また、係止片部３４，３５の間に形成される側縁部３６は、幅方向において上記蓋体１２の一方の端縁部１７と当接して固定されている。
【００３７】
上記金属片１４の厚さ寸法Ｌ１は、図１に示すように、上記蓋体の厚さ寸法Ｌ２よりも小さい寸法により形成されている。
また、図１及び図２に示すように、上記金属片１４の幅寸法Ｌ９及び長さ寸法Ｌ１０は、上記磁石収納部２７の幅寸法Ｌ５及び長さ寸法Ｌ７とほぼ同一の寸法により形成されている。
【００３８】
また、図１及び図２に示すように、上記金属片１４の上記蓋体１２の長さ方向両端部１５，１６の外方には、上記蓋体１２の幅方向端縁部１７から上記金属片１４よりも外方に突出する一対の突部１８，１９が設けられている。
【００３９】
また、一対の上記突部１８，１９は上記金属片１４の側縁部３６の両端部３２，３３に当接して設けられている。
【００４０】
上記突部１８，１９の素材は、上記蓋体１２の表皮材と一体に、同一の素材により形成され、クッション性を有している。また、上記突部１８，１９は、図１に示すように、上記蓋体１２の一方の端縁部１７から幅方向外方に向かって厚さ方向においてテーパ状に形成されている。
また、上記突部１８，１９の長さ寸法Ｌ１１は、図２に示すように、筆入れを使用した場合に、手や指と接触しても邪魔にならない程度に突出しうる寸法であり、幅寸法Ｌ１２は、上記金属片１４の両端部１５，１６と上記蓋体１２の一方の端縁部１７が当接している部位を当接した状態を維持することができるように形成されている。
【００４１】
以下、上記実施例に係る筆入れの作用について説明する。
上記実施例に係る上記筆入れ１０は、図２に示すように、上記金属片１４の上記蓋体１２の長さ方向両端部１５，１６の外方には、上記蓋体１２の幅方向端縁部１７から上記金属片１４よりも幅方向外方に突出する一対の突部１８，１９が設けられているため、上記側縁部３６の両端部３２，３３が露出することがないことから、使用者の指が上記両端部３２，３３に触れることがなくなる。
したがって、図２に示すように、手や指が上記側縁部３６の両端部３２，３３に引っ掛かり、切り傷等のけがを負うという事態を防止することができる。
【００４２】
また、上記筆入れ１０は、図２に示すように、一対の上記突部１８，１９が上記金属片１４の側縁部３６の両端部３２，３３に当接していることから、上記側縁部３６の両端部３２，３３に設けられ、上記側縁部３６の両端部３２，３３を側方から被覆する。
そのため、上記蓋体１２の幅方向及び厚さ方向いずれの方向においても、上記側縁部３６の両端部３２，３３に指が触れることがなくなる。
したがって、上記側縁部３６の両端部３２，３３に接触する方向に関わらず、切り傷等のけがを負うという事態を防止することができる。
【００４３】
また、上記突部１８，１９及び上記蓋体１２の表皮材がクッション性を有した素材で形成されていることから、手や指が上記突部１８，１９に接触した場合であっても損傷することがないため、上記突部１８，１９に接触することにおいて、切り傷等のけがを負うという事態を防止することができる。
【００４４】
また、上記金属片１４は、図１に示すように、平面長方形状の板材を幅方向に沿って側面Ｕ字形状に折り曲げられて、一対の係止片部３４，３５と、これら一対の係止片部３４，３５の間に形成される側縁部３６とを有し、上記係止片部３４，３５により上記蓋体１２の端縁部１７に固定されている。
この場合、上記金属片１４の厚さ寸法Ｌ１は、上記蓋体１２の厚さ寸法Ｌ２より小さい寸法である。
そのため、上記金属片１４は、クッション性を有した素材で形成されている上記蓋体１２の表皮材に埋没する形で固定され、厚さ方向において上記金属片１４の両端部１５，１６と接触することがないため、厚さ方向において上記金属片１４の両端部１５，１６に引っ掛かることがなくなる。
したがって、手や指が厚さ方向において上記金属片１４の両端部１５，１６に引っ掛かることにより、切り傷等のけがを負うという事態を防止することができる。
【産業上の利用可能性】
【００４５】
本考案は、主にケースに取付けられている磁石に蓋体に取付けられている金属片が吸着されることにより蓋体が閉鎖される筆入れに適用可能である。
【図面の簡単な説明】
【００４６】
【図１】本考案に係る筆入れの一実施の形態を示す斜視図である。
【図２】本考案に係る筆入れの一実施の形態を示し、金属片、突部、蓋体の関係を示す平面図である。
【符号の説明】
【００４７】
１０                  筆入れ
１１                  ケース
１２                  蓋体
１３、１３ａ、１３ｂ  磁石
１４                  金属片
１５、１６            金属片の両端部
１７                  蓋体の一方の端縁部
１８、１９            突部
２３                  蓋体の他方の端縁部
２４                  ケースの一方の端部
２５                  収納部
２６                  ケースの他方の端部
２７                  磁石収納部
２８                  ケースの内壁部
３１                  磁石収納部の上面部
３２、３３            側縁部の両端部
３４、３５            係止片部
３６                  側縁部
L１                    金属片の厚さ寸法
L２                    蓋体の厚さ寸法
L３                    蓋体の長さ寸法
L４                    蓋体の幅寸法
L５                    磁石収納部の幅寸法
L６                    磁石の長さ寸法
L７                    磁石収納部の長さ寸法
L９                    金属片の幅寸法
L１０                  金属片の長さ寸法
L１１                  突部の長さ寸法
L１２                  突部の幅寸法
【図１】
0003114252.tif 000003
【図２】
0003114252.tif 000004